(57)【要約】【課題】自動的に検知できないような警戒状態に対してアラーム動作を実行でき、しかも簡単な操作で録画を行うことができる映像優先切替装置及び映像優先切替方法を提供する。【解決手段】コントローラ５に優先録画スイッチを設けて、この優先録画スイッチの操作により、オペレータが選択したカメラ２の映像のみを優先的にレコーダ４に録画する。これにより、自動的に検知できないような警戒状態に対してアラーム動作（犯行現場の記録等）を実行でき、しかも簡単な操作で録画を行うことが可能となる。また、優先録画時間を決めておくことで、優先録画の解除忘れを防止することができる。さらに、録画と同時に時間情報を記録することで、例えば犯罪における犯行時間を把握することができる。【選択図】図１
2007336358.tif 000002
【特許請求の範囲】
【請求項１】
複数のカメラ及びモニタのうち、オペレータが選択したカメラとモニタが対応するように切り替える映像優先切替装置において、
オペレータによって優先録画する操作が行われると、前記オペレータが選択しているカメラの映像のみを録画装置に録画する制御を行う制御手段を備える映像優先切替装置。
【請求項２】
前記オペレータが選択した前記カメラの番号を管理する状態管理手段を備え、
前記制御手段は、前記状態管理手段が管理している前記カメラの番号を参照して、前記オペレータが選択したカメラの映像のみを前記録画装置に録画する制御を行う請求項１に記載の映像優先切替装置。
【請求項３】
前記制御手段は、予め指定された録画時間を超えると前記録画装置への録画を終了し、前記録画時間以前に前記オペレータによって録画継続操作が行われると、前記録画装置への録画を継続して行う請求項１又は請求項２に記載の映像優先切替装置。
【請求項４】
前記制御手段は、前記録画装置への録画と同時に時間情報を記録する請求項１乃至請求項３のいずれかに記載の映像優先切替装置。
【請求項５】
複数のカメラと、
複数のモニタと、
前記複数のカメラ夫々で撮影された映像を録画するための録画装置と、
優先録画スイッチを有し装置本体を操作するためのコントローラと、
請求項１乃至請求項４のいずれかに記載の映像優先切替装置と、
を備え、前記映像優先切替装置の前記制御手段は、オペレータによって前記コントローラの前記優先録画スイッチが操作された場合に、前記オペレータが選択したカメラの映像のみを前記録画装置に録画する制御を行う映像監視システム。
【請求項６】
複数のカメラ及びモニタのうち、オペレータが選択したカメラとモニタが対応するように切り替える映像優先切替方法において、オペレータによって優先録画する操作が行われると、前記オペレータが選択したカメラの映像のみを録画装置に録画する映像優先切替方法。
【発明の詳細な説明】
【技術分野】
【０００１】
本発明は、銀行やコンビニエンスストア等における万引き、盗難、悪戯等を監視する映像監視システムに用いて好適な映像優先切替装置及び映像優先切替方法に関する。
【背景技術】
【０００２】
従来、上述した映像監視システムとして、端子アラーム、カメラアラーム、シリアルアラーム、レコーダアラームなど自動的に異常を検知し、アラーム動作即ちカメラ動作、映像録画などを行うものが提案されている（例えば、特許文献１参照）。ここで、端子アラームとは、複数の端子の何本かがグランドに落ちたときに（即ち接地されたときに）アラーム信号を出力する構成を採るものである。また、カメラアラームとは、カメラ側に内蔵されたセンサからアラーム信号を出力する構成を採るものである。また、シリアルアラームとは、コマンドインタフェースを持ち、シリアルコマンドをアラーム信号として出力する構成を採るものである。また、レコーダアラームとは、レコーダ側でアラーム発生した場合にアラーム信号を出力する構成を採るものである。
【０００３】
【特許文献１】特開平６−１０５２７９号公報
【発明の開示】
【発明が解決しようとする課題】
【０００４】
しかしながら、従来の映像監視システムにおいては、次のような問題がある。即ち、上記のセンサ類では、自動的に検知できないような警戒状態に対してアラーム動作を実行できず、また緊急時の映像録画を行うにしても簡単な操作で録画を行うことができないという問題がある。
【０００５】
本発明は、係る事情に鑑みてなされたものであり、自動的に検知できないような警戒状態に対してアラーム動作を実行でき、しかも簡単な操作で録画を行うことができる映像優先切替装置及び映像優先切替方法を提供することを目的とする。
【課題を解決するための手段】
【０００６】
上記目的は下記構成又は方法により達成される。
本発明の映像優先切替装置は、複数のカメラ及びモニタのうち、オペレータが選択したカメラとモニタが対応するように切り替える映像優先切替装置において、オペレータによって優先録画する操作が行われると、前記オペレータが選択しているカメラの映像のみを録画装置に録画する制御を行う制御手段を備える。
【０００７】
この構成により、オペレータによって優先録画する操作が行われると、該オペレータが選択しているカメラの映像のみを録画装置に録画する制御を行うことから、自動的に検知できないような警戒状態に対してアラーム動作（犯行現場の記録等）を実行でき、しかも簡単な操作で録画を行うことが可能となる。
【０００８】
また、本発明の映像優先切替装置は、前記オペレータが選択した前記カメラの番号を管理する状態管理手段を備え、前記制御手段は、前記状態管理手段が管理している前記カメラの番号を参照して、前記オペレータが選択したカメラの映像のみを前記録画装置に録画する制御を行う。
【０００９】
この構成により、オペレータが選択したカメラの番号を管理することから、オペレータが優先録画する操作を行った際に、即座に録画することが可能となる。これにより、緊急度の高い場面に遭遇した場合に、確実にその場面を録画することが可能となる。
【００１０】
また、本発明の映像優先切替装置は、前記制御手段は、予め指定された録画時間を超えると前記録画装置への録画を終了し、前記録画時間以前に前記オペレータによって録画継続操作が行われると、前記録画装置への録画を継続して行う。
【００１１】
この構成により、予め指定された録画時間を超えると録画を終了することから、優先録画の解除忘れを防止することができる。
【００１２】
また、本発明の映像優先切替装置は、前記制御手段は、前記録画装置への録画と同時に時間情報を記録する。
【００１３】
この構成により、録画装置への録画と同時に時間情報を記録することから、例えば犯罪における犯行時間を把握することができる。
【００１４】
また、本発明の映像監視システムは、複数のカメラと、複数のモニタと、前記複数のカメラ夫々で撮影された映像を録画するための録画装置と、優先録画スイッチを有し装置本体を操作するためのコントローラと、上記映像優先切替装置のいずれかとを備え、前記映像優先切替装置の前記制御手段は、オペレータによって前記コントローラの前記優先録画スイッチが操作された場合に、前記オペレータが選択したカメラの映像のみを前記録画装置に録画する制御を行う。
【００１５】
この構成により、上記映像優先切替装置のいずれかを備えることから、自動的に検知できないような警戒状態に対してアラーム動作（犯行現場の記録等）を実行でき、しかも簡単な操作で録画を行うことが可能となる。
【００１６】
また、本発明の映像優先切替方法は、複数のカメラ及びモニタのうち、オペレータが選択したカメラとモニタが対応するように切り替える映像優先切替方法において、オペレータによって優先録画する操作が行われると、前記オペレータが選択したカメラの映像のみを録画装置に録画する。
【００１７】
この方法により、オペレータによって優先録画する操作が行われると、該オペレータが選択したカメラの映像のみを録画装置に録画する制御を行うことから、自動検知できないような警戒状態に対してアラーム動作（犯行現場の記録等）を実行でき、しかも簡単な操作で録画を行うことが可能となる。
【発明の効果】
【００１８】
本発明によれば、オペレータによって優先録画する操作が行われると、該オペレータが選択したカメラの映像のみを録画装置に録画する制御を行うことから、自動的に検知できないような警戒状態に対してアラーム動作（犯行現場の記録等）を実行でき、しかも簡単な操作で録画を行うことが可能となる。
【発明を実施するための最良の形態】
【００１９】
以下、本発明を実施するための好適な実施の形態について、図面を参照して詳細に説明する。
【００２０】
図１は、本発明の一実施の形態に係る映像監視システムの概略構成を示すブロック図である。同図において、本実施の形態の映像監視システムは、映像優先切替装置１と、複数のカメラ２と、複数のモニタ３と、レコーダ（記録装置）４と、複数のコントローラ５と、アラームセンサ６とを備えて構成される。映像優先切替装置１は、カメラ制御部１１と、映像切替部１２と、キャラクタ表示制御部１３と、レコーダ制御部１４と、管理部（制御手段）１５とを備えて構成される。
【００２１】
カメラ制御部１１は、複数のカメラ２それぞれの映像信号を出力するとともに、管理部１５からの指示に従って各カメラ２のパン、チルト、ズーム等の制御を行う。映像切替部１２は、カメラ２とモニタ３の対応付けを行う。この場合、対応付けを行うカメラ２とモニタ３はオペレータによって選択されたものであり、例えばオペレータがコントローラ５を操作して１番目のカメラ２と３番目のモニタ３を指定したとすると、１番目のカメラ２と３番目のモニタ３を対応付ける指令が管理部１５から映像切替部１２に入力され、映像切替部１２がその指令を受けることで、１番目のカメラ２の映像を３番目のモニタ３に映し出すための切り替えを行う。キャラクタ表示切替制御部１３は、カメラ２からの映像信号にキャラクタ（メッセージ等）の映像信号を重畳してモニタ３に入力する。レコーダ制御部１４は、管理部１５からの指示に従ってレコーダ４を制御してカメラ２からの映像を記録する。レコーダ４は、複数のカメラ２それぞれの映像信号が入力され、レコーダ制御部１４からどのカメラ２の映像を録画するかの指示により、ある特定のカメラ２からの映像を録画することができる。
【００２２】
管理部１５は、装置各部を制御するものであり、プライオリティ管理部１５１と、アラーム管理部１５２と、状態管理部１５３と、ユーザレベル管理部１５４と、タイマ１５５と、タイマ管理部１５６とから構成される。プライオリティ管理部１５１は、各オペレータがカメラ２を選択・制御できるプライオリティを管理する。アラーム管理部１５２は、アラームセンサ６から出力されるセンサ信号によって異常を通知するための情報を出力する。
【００２３】
状態管理部１５３は、今現在のオペレータと、該オペレータによって選択されたカメラ２及びモニタ３それぞれの番号とを関連付けた情報を記憶する。例えば、オペレータＡが１番目のカメラ２を選択・制御し、また３番目のモニタ３を選択している場合、オペレータＡと１番目のカメラ２及び３番目のモニタ３とを関連付けた情報が記憶される。ユーザレベル管理部１５３は、オペレータ毎に操作できるカメラ２を管理する。例えば、オペレータＡは１番目のカメラ２を操作できるが、２番目のカメラ２以降は操作できないといった状態を管理する。タイマ管理部１５５はタイマ１５４の出力を元に優先録画時間の管理を行うとともに、ログ記録のための時間情報の管理を行う。
【００２４】
コントローラ５には、カメラ２を選択するためのカメラ選択スイッチ、選択したカメラ２のパン、チルト、ズームを調整するためのカメラ調整スイッチ、モニタ３を選択するためのモニタ選択スイッチ、選択したカメラ２の映像のみを優先的に録画するための優先録画スイッチ、優先録画を解除するための優先録画解除スイッチ、優先録画を継続させるための優先録画継続スイッチ、これら各種スイッチの操作状態を示すための複数の表示部（例えば、発光ダイオードが用いられる）、優先録画時間の時間超過（タイムオーバ）を通知するための表示部などが設けられている。なお、各種スイッチ及び表示部などの図示は省略する。
【００２５】
次に、上記構成の映像監視システムの動作を説明する。図２は、優先録画処理を示すフロー図である。なお、同図において、「Ａ」はオペレータＡを示す。さて、図２において、まずオペレータＡが、今現在選択・制御中のカメラ２の映像のみを優先録画する操作を行ったかどうか判定する（ステップＳ１０）。ここで、選択・制御中のカメラ２の映像のみを優先録画する場合とは、例えばオペレータＡが危険度（あるいは緊急度）の高い場面に遭遇した場合が挙げられる。
【００２６】
優先録画は、オペレータＡがコントローラ５上の優先録画スイッチを操作することで開始される。ステップＳ１０の判定において、選択・制御中のカメラ２の映像のみを優先録画する操作が行われていない場合（即ちステップＳ１０の判定でＮＯの場合）は、この判定を繰り返し、選択・制御中のカメラ２の映像のみを優先録画する操作が行われた場合（即ちステップＳ１０の判定でＹＥＳの場合）は、状態管理部１５３で管理されている番号のカメラ（即ち、オペレータＡが選択したカメラ）２の映像を録画するようにレコーダ制御部１４を介してレコーダ４に指示し、そのカメラ２の映像の録画を開始する（ステップＳ１１）。この際、オペレータＡに優先録画を開始したことを通知するとともに、ログ記録の開始並びにタイマ１５５を動作させる。優先録画を開始したことの通知としては、例えばオペレータＡが使用しているコントローラ５上の優先録画中を示す表示部を点灯させるか、オペレータＡが選択したモニタ３上に優先録画中を示すメッセージを表示する。ログ記録とは、時間情報（何年何月何日何時何秒）の記録である。タイマ１５５は優先録画時間のカウントに使用される。
【００２７】
上述のように優先録画を開始した後、オペレータＡによるカメラ切替操作又は優先録画解除操作が行われたかどうか判定する（ステップＳ１２）。カメラ切替操作又は優先録画解除操作が行われた場合（即ちステップＳ１２の判定でＹＥＳの場合）は、優先録画を終了する（ステップＳ１３）。さらに優先録画通知を消去する（ステップＳ１４）。これに対して、カメラ切替操作又は優先録画解除操作が行われていない場合（即ちステップＳ１２の判定でＮＯの場合）は、タイマ１５５をカウントアップし（ステップＳ１５）、さらにタイムオーバ間近かどうか判定する（ステップＳ１６）。タイムオーバ間近でない場合（即ちステップＳ１６の判定でＮＯの場合）は、ステップＳ１２に戻り、タイムオーバ間近である場合（即ちステップＳ１６の判定でＹＥＳの場合）は、オペレータＡにタイムオーバ間近であることを通知する（ステップＳ１７）。この通知としては、例えばオペレータＡが使用しているコントローラ５上の優先録画タイムオーバ間近を通知するための表示部を点灯させるか、オペレータＡが選択したモニタ３上にタイムオーバ間近を示すメッセージを表示する。
【００２８】
優先録画のタイムオーバ間近を通知した後、オペレータＡにより録画を継続する操作が行われたかどうか判定する（ステップＳ１８）。録画を継続する操作が行われた場合（即ちステップＳ１８の判定でＹＥＳの場合）は、タイマ１５５のカウントをクリアし（ステップＳ１９）、ステップＳ１２に戻る。これに対して、録画を継続する操作が行われなかった場合（即ちステップＳ１８の判定でＮＯの場合）は、タイマ１５５をカウントアップし（ステップＳ２０）、さらにタイムオーバかどうか判定する（ステップＳ２１）。タイムオーバでない場合（即ちステップＳ２１の判定でＮＯの場合）は、ステップＳ１７に戻り、タイムオーバである場合（即ちステップＳ２１の判定でＹＥＳの場合）は、ステップＳ１３に進む。
【００２９】
このように、本実施の形態の映像監視システムによれば、コントローラ５に優先録画スイッチを備え、この優先録画スイッチを操作することで、オペレータが選択したカメラ２の映像のみを優先的にレコーダ４に録画するので、自動的に検知できないような警戒状態に対してアラーム動作（犯行現場の記録等）を実行でき、しかも簡単な操作で録画を行うことが可能となる。また、優先録画時間を決めておくので、優先録画の解除忘れを防止することができる。さらに録画と同時に時間情報を記録するので、例えば犯罪における犯行時間を把握することができる。
【産業上の利用可能性】
【００３０】
本発明は、自動的に検知できないような警戒状態に対してアラーム動作を実行でき、しかも簡単な操作で録画を行うことができるといった効果を有し、監視用途に向けた映像監視システムなどへの適用が可能である。
【図面の簡単な説明】
【００３１】
【図１】本発明の一実施の形態に係る映像監視システムの概略構成を示すブロック図
【図２】図１に示す映像監視システムの映像優先切替装置の優先録画処理を説明するためのフロー図
【符号の説明】
【００３２】
１  映像優先切替装置
２  カメラ
３  モニタ
４  レコーダ
５  コントローラ
６  アラームセンサ
１１  カメラ制御部
１２  映像切替部
１３  キャラクタ表示制御部
１４  レコーダ制御部
１５  管理部
１５１  プライオリティ管理部
１５２  アラーム管理部
１５３  状態管理部
１５４  ユーザレベル管理部
１５５  タイマ
１５６  タイマ管理部
【図１】
2007336358.tif 000003
【図２】
2007336358.tif 000004